(57)【要約】      （修正有）【課題】分解が容易で、且つ操作性の優れた飲料注出コックを提供すること。【解決手段】注出口３の上方に設けた開口部６にキャップ７を着脱自在に取付け、弁機能部４の上部に設けた鉤状部９をキャップ７から突出させ、操作レバー５の下部に、対向する側壁１２，１２と、側壁間に架設した水平軸１３とからなる連結部１１を設け、鉤状部９を水平軸１３に引っ掛けて弁機能部４と連結する。連結部側壁１２は、水平な先端面１４と、側壁の一方側縁部に設けてあり且つ先端面１４と角部１８を介して連続する拘束当接部１６と、側壁１２の他方側縁部１５と先端面１４とのコーナー部に設けた円弧状面の非拘束当接部１７と有し、操作レバー５が起立した状態で注出口３が塞がれ、操作レバー５を水平軸１３を支点として一方側に倒すと、注出口３が開放すると共に、倒伏状態に拘束され、操作レバー５を他方側に倒すと、注出口３が開放すると共に、起立復帰する。【選択図】図２
2007314220.tif 000002
【特許請求の範囲】
【請求項１】
飲料容器（１）に接続するコック本体（２）と、コック本体（２）の注出口（３）を開閉する弁機能部（４）と、弁機能部（４）を開閉操作するための操作レバー（５）とを備え、コック本体（２）は、注出口（３）に連通する上向き開口部（６）を有し、開口部（６）にキャップ（７）を着脱自在に取付けてあり、弁機能部（４）は、上部に鉤状部（９）を、下部にコック本体（２）の注出口（３）を塞ぐ塞ぎ部（８）を有し、鉤状部（９）をキャップ（７）から上方に突出し、下向きに付勢して上下動可能に設けてあり、操作レバー（５）は、対向する側壁（１２，１２）間に水平軸（１３）を架設した連結部（１１）を下側に有しており、水平軸（１３）に弁機能部（４）の鉤状部（９）を引っ掛けて起倒回動自在に連結してあり、連結部側壁(１２，１２)は、操作レバー（５）の起立時にキャップ（７）上面に当接する先端面(１４)と、操作レバー（５）を一方側に倒したときにキャップ（７）上面に当接して倒伏状態に拘束する拘束当接部（１６）と、操作レバー（５）を他方側に倒したときにキャップ（７）上面に当接して弁機能部（４）の付勢力による操作レバー（５）の起立復帰を許容する非拘束当接部（１７）とを有し、操作レバー（５）の起立時に弁機能部（４）の塞ぎ部（８）によって注出口（３）を塞ぎ、操作レバー（５）を一方側または他方側に倒した時に弁機能部（４）が付勢力に抗して上方に移動して注出口（３）を開放することを特徴とする飲料注出コック。
【請求項２】
拘束当接部（１６）は連結部側壁（１２）の一方側縁部に設けてあり、先端面（１４）と角部（１８）を介して略直角に連続しており、非拘束当接部（１７）は連結部側壁（１２）の他方側縁部（１５）と先端面（１４）とのコーナー部に設けた円弧状面であることを特徴とする請求項１記載の飲料注出コック。
【請求項３】
操作レバー（５）が垂直軸回りに回転自在であることを特徴とする請求項１又は２記載の飲料注出コック。
【発明の詳細な説明】
【技術分野】
【０００１】
本発明は、ビールやジュース等の飲料容器に取付けられ、レバー操作により弁を開閉し、コップ等に飲料を注ぐための飲料注出コックに関する。
【背景技術】
【０００２】
従来の飲料注出コックとして特許文献１及び２には、コック本体２５の上部にキャップ３８がネジで着脱自在に取付けてあり、コック本体内に注出口を開閉する弁体３９を上下動可能に且つバネで下方に付勢して設け、弁体３９の上方に突き出して設けた注出棒４０に作動部材４２をキャップ３８の上方で回動可能に連結し、作動部材４２の後部からレバーアーム２７を下方に垂下して設けてあり、コップ等の容器１５でレバーアーム２７を後方に押すことで作動部材４２が回動して注出棒４０及び弁体３９が引き上げられ、容器１５に飲料が流出するものが記載されている。
この飲料注出コックは、キャップ３８をコック本体２５から取り外すことで、注出棒４０及び弁体３９をコック本体２５から取り外せるようにしているが、その際にこれらをまっすぐ上方に取り外そうとするとレバーアーム２７がコック本体の後方にのびる注出管３０に引っ掛かるため、取り外しが容易に行えない。またこの飲料注出コックは、作動部材４２に収納して連注用レバー２８が設けてあり、連注用レバー２８を指先で手前側に起こすことで、飲料を連続的に注げるようにしている。しかしこの連注用レバー２８は、非常に小さく且つ作動部材４２に収納して設けてあるために、操作が大変しづらいものとなっており、また初めて使う人がその操作方法を理解するのは困難である。
【０００３】
また、特許文献２の図９と図１０には、キャップ１３の上面に当接して楕円形状の開閉カム１４を回動可能に設け、開閉カム１４に線材を正面視矩形状に折り曲げたレバーアーム１１が取付けてあり、コップ等の容器１５でレバーアーム１１を後方に押すことで容器１５に飲料を注出できるとともに、図１０に示すように、レバーアーム１１を手前側に大きく傾動することで、楕円形の開閉カム１４の長軸側がキャップ１３上面に当接して弁機能部１２が引き上げられ、飲料を連続的に容器１５に注げるようにしたものが記載されている。
この飲料注出コックは、キャップ１３を外して分解する際にレバーアーム１１が邪魔になる欠点がある。また、飲料を連続的に注ぐ際にレバーアーム１１を前方に大きく傾動させなければならず、操作が面倒であると共に、開閉カム１４が楕円形に形成してあるために連続注出時にレバーアーム１１が安定して保持されず、レバーアーム１１に作業者の手や衣服が少しでも触れるとレバーアーム１１が勝手に下方に回動し、飲料の注出がストップするばかりか、レバーアーム１１によりコップ等の容器を破損するおそれもある。      
【特許文献１】特許２００３−１２０９４号公報
【特許文献２】特許２００３−１２０９５号公報
【発明の開示】
【発明が解決しようとする課題】
【０００４】
本発明は以上に述べた実情に鑑み、分解が容易で簡単に洗浄することができ、尚且つ操作性の優れた飲料注出コックを提供することを目的とする。
【課題を解決するための手段】
【０００５】
上記の課題を達成するために請求項１記載の発明による飲料注出コックは、飲料容器に接続するコック本体と、コック本体の注出口を開閉する弁機能部と、弁機能部を開閉操作するための操作レバーとを備え、コック本体は、注出口に連通する上向き開口部を有し、開口部にキャップを着脱自在に取付けてあり、弁機能部は、上部に鉤状部を、下部にコック本体の注出口を塞ぐ塞ぎ部を有し、鉤状部をキャップから上方に突出し、下向きに付勢して上下動可能に設けてあり、操作レバーは、対向する側壁間に水平軸を架設した連結部を下側に有しており、水平軸に弁機能部の鉤状部を引っ掛けて起倒回動自在に連結してあり、連結部側壁は、操作レバーの起立時にキャップ上面に当接する先端面と、操作レバーを一方側に倒したときにキャップ上面に当接して倒伏状態に拘束する拘束当接部と、操作レバーを他方側に倒したときにキャップ上面に当接して弁機能部の付勢力による操作レバーの起立復帰を許容する非拘束当接部とを有し、操作レバーの起立時に弁機能部の塞ぎ部によって注出口を塞ぎ、操作レバーを一方側または他方側に倒した時に弁機能部が付勢力に抗して上方に移動して注出口を開放することを特徴とする。
【０００６】
請求項２記載の発明による飲料注出コックは、請求項１記載の発明の構成に加え、拘束当接部は連結部側壁の一方側縁部に設けてあり、先端面と角部を介して略直角に連続しており、非拘束当接部は連結部側壁の他方側縁部と先端面とのコーナー部に設けた円弧状面であることを特徴とする。
【０００７】
請求項２記載の発明による飲料注出コックは、請求項１又は２記載の発明の構成に加え、操作レバーが垂直軸回りに回転自在であることを特徴とする。
【発明の効果】
【０００８】
請求項１記載の発明の飲料注出コックは、操作レバーがキャップ上に起立して設けられるので、キャップをコック本体から取り外す際に操作レバーが邪魔になることがなく、まっすぐ上方に取り外すことができ、しかも操作レバーは、弁機能部の上部に設けた鉤状部を水平軸に引っ掛けて連結してあるので、キャップをコック本体から取り外した状態で弁機能部を上方に押し上げ、水平軸を鉤状部から抜くことで操作レバーを容易に取り外すことができ、操作レバーを取り外すと弁機能部を下方に引き抜いてキャップと分離できる。このように各部品に分解して洗浄することで、衛生的に使用できる。
また本発明の飲料注出コックは、一つの操作レバーを水平軸を支点として一方側に倒すか他方側に倒すだけで、操作レバーを倒伏状態に拘束して飲料を連続的に注出する状態と、操作レバーを手で押えながら飲料を任意に注出する状態とに切り替えることができるので、誰にでも簡単にしかも確実に二通りの状態で飲料の注出が行える。
【０００９】
請求項２記載の発明による飲料注出コックは、連結部側壁を単純な形にでき、しかも拘束当接部による操作レバーの拘束作用、非拘束当接部による操作レバーの起立復帰作用が確実に発揮される。
【００１０】
請求項３記載の発明によれば、操作レバーの倒れる向きを自由に変更することができ、操作性が一層向上する。
【発明を実施するための最良の形態】
【００１１】
以下、本発明の実施の形態を図面に基づいて説明する。図１（ａ）は本発明の飲料注出コックの側面図であり、図１（ｂ）は同コックの正面図であり、図２は図１（ｂ）のＡ−Ａ断面図であり、図３は同コックの分解した状態の縦断面図である。
この飲料注出コックは、飲料容器１に突出して設けた注出管１９に取付ネジ２０を介して着脱自在に取付けられるコック本体２と、コック本体２に形成された注出口３を開閉する弁機能部４と、弁機能部４を開閉操作するための操作レバー５とを備えている。
【００１２】
コック本体２は、図２に示すように、飲料容器１の注出管１９と連続する継口２２と、継口２２と連続して下方にのびるパイプ状の注出口３とで飲料の流路２１がＬ形に形成してある。注出口３の上部は、円筒状で上方に突出しており、その上端面が中心側に向かうにつれて低くなる擦り鉢状のテーパー面３３に形成してある。注出口３の上方には、弁機能部４の収容部２３を有している。弁機能部４の収容部２３は、図３に示すように、上面側を開放する形で形成し、その上向き開口部６にキャップ７を雄ネジ２４ａと雌ネジ２４ｂを介して着脱自在に取付けている。キャップ７は、中心に弁機能部４を挿通する円筒状のガイド部２５を設けてある。
【００１３】
弁機能部４は、硬質樹脂で形成した丸棒状の弁体２６と、シリコンゴムで有底筒状に形成した栓体２７の２部材で形成してあり、図２に示すように、弁体２６の下端部に形成した弁先部２８を栓体２７の底部に形成した弁先受部２９に嵌め込んで両者を結合している。栓体２７は、図３に示すように、下面の外周部に注出口３の入口側を塞ぐ塞ぎ部８がフラット面に形成してあり、塞ぎ部８の外周の径は注出口３の入口側の筒状部の径よりも若干大きくなっている。弁体２６の上部には鉤状部９を設けてあり、鉤状部９がキャップ７のガイド部２５に挿通されてキャップ７から突出している。弁体２６の中間部には鍔部３０を設けてあり、鍔部３０とキャップ７の上壁との間に、コイルバネ３１が圧縮した状態で配設してある。
弁機能部４は、コイルバネ３１により常時下向きに付勢され、栓体２７の塞ぎ部８がコイルバネ３１の力で注出口３の上端面に圧接して注出口３を塞いでいる。このとき、注出口３の上端面が擦り鉢状のテーパー面３３にしてあることで、図２に示すように、栓体２７の塞ぎ部８が変形してテーパー面３３に密着するとともに、塞ぎ部８が潰れて拡がってテーパー面３３の外周を囲むようになるため、注出口３の入口が栓体２７で確実に塞がれ、弁体２６の軸が多少傾いても、飲料が注出口３から漏れ出ることがない。栓体２７の上縁には外周側に向けてリング状の鍔縁部３２を設けてあり、鍔縁部３２をコック本体２の上縁とキャップ７とで挟んでいる。
【００１４】
操作レバー５は、図１に示すように、上部に操作部１０を、下部に弁機能部４との連結部１１を有している。連結部１１は、対向する２つの側壁１２，１２と、側壁間に架設した水平軸１３を備え、側壁１２，１２間に弁機能部４の鉤状部９を挿入し、鉤状部９を水平軸１３に引っ掛けて弁機能部４と操作レバー５とを連結してある。
側壁１２は、操作レバー５の起立時にキャップ７上面に当接する水平な先端面１４と、操作レバー５を水平軸１３を支点として後側に倒したときにキャップ７上面に当接して操作レバー５を倒伏状態に拘束する拘束当接部１６と、操作レバー５を前側に倒したときにキャップ７上面に当接し且つ操作レバー５が弁機能部４の付勢力により起立状態に復帰するのを許容する非拘束当接部１７とを設けてある。非拘束当接部１７は、側壁１２の前側の縁部１５と先端面１４とのコーナー部に設けた円弧状面となっており、非拘束当接部１７は側壁１２の前側の縁部１５よりも僅かに前側に突出し且つ水平軸１３よりも高い位置まで連続して形成してある。拘束当接部１６は、側壁１２の後側の縁部に設けてあり、先端面１４と角部１８を介して直角に連続している。図４に示すように、拘束当接部１６と水平軸１３との距離Ｘ１及び非拘束当接部１７と水平軸１３との距離Ｘ２は、先端面１４と水平軸１３との距離Ｙよりも長くしてある。
側壁１２の先端面１４と拘束当接部１６との角部１８は、小さいＲで面取りしてもよく、そうすることで操作レバー５を後側に倒す際に角部１８での引っ掛かりが小さくなって、スムーズに倒せるようになるが、操作レバー５を倒伏状態で拘束するためには、Ｒの大きさは側壁１２の先端面１４と水平軸１３との距離Ｙよりも小さくする必要がある。また、側壁１２の先端面１４と拘束当接部１６との角は、９０°よりも若干大きい角度や小さい角度で形成してもよい。
【００１５】
操作レバー５は、図２に示すように、コイルバネ３１の付勢力により下方に引っ張られ、側壁１２の先端面１４がキャップ７上面に当接し、キャップ７上に起立する。この状態では、注出口３が弁機能部４の栓体２７の塞ぎ部８により塞がれている。
【００１６】
図５に示すように、操作レバー５を後側に向けて９０°倒すと、拘束当接部１６と水平軸１３との距離Ｘ１を先端面１４と水平軸１３との距離Ｙよりも長くしてあるために、弁機能部４がコイルバネ３１による付勢力に抗して上方に引き上げられて注出口３が開き、また、先端面１４と直角に形成した拘束当接部１６がキャップ７上面に当接することで操作レバー５が倒伏状態で拘束され、操作レバー５から手を離した状態で飲料を連続的にコップＣに注ぐことができる。
一方、図６に示すように、操作部１０を手で押えながら操作レバー５を前側に倒すと、非拘束当接部１７がキャップ７上面に当接し、非拘束当接部１７と水平軸１３との距離Ｘ２を先端面１４と水平軸１３との距離Ｙよりも長くしてあるために、同じように弁機能部４がコイルバネ３１による付勢力に抗して上方に引き上げられて注出口３が開き、飲料がコップＣに注がれる。このとき、操作レバー５の倒す角度を大きくするほど弁機能部４の引き上げ量が大きくなるので、流量を調節しながら飲料を注出できる。操作レバー５から手を離すと、円弧状面に形成した非拘束当接部１７がキャップ７上面に当接していることで、操作レバー５がコイルバネ３１の力で起立復帰し、飲料の注出がストップする。
【００１７】
操作レバー５と弁機能部４は、垂直軸（弁体２６の中心軸）回りに自由に回転するので、操作レバー５の倒す方向は飲料容器１の形状等に応じて操作がしやすい方向に自由に変更することができる。例えば、操作レバー５を左右方向や斜め前後方向に倒して飲料を注出することもできる。
【００１８】
本飲料注出コックは、キャップ７を回してネジ２４ａ，２４ｂを外してから、上方にまっすぐ引き上げることで、キャップ７と弁機能部４と操作レバー５とが一体になった状態でコック本体２から外れ、さらに図７に示すように、弁機能部４を上方に押し上げた状態で弁機能部４の鉤状部９を操作レバー５の水平軸１３から抜くことで、操作レバー５を簡単に取り外すことができる。その後、弁機能部４をキャップ７の下方に引き抜き、栓体２７を下方に引き抜いて弁体２６と分離することで、図３に示すように、各部品ごとに極めて容易に分解することができる。コック本体２も、飲料容器１から取り外すことができる。組み立ては、分解したときと逆の手順で行えばよい。毎日の使用後に、このように分解して洗浄することで、常に衛生的な状態で使用できる。
【図面の簡単な説明】
【００１９】
【図１】本発明の飲料注出コックの側面図（ａ）と正面図（ｂ）である。
【図２】図１（ｂ）のＡ−Ａ断面図である。
【図３】本発明の飲料注出コックの分解状態における縦断面図である。
【図４】操作レバーの一部を切除した拡大側面図である。
【図５】操作レバーを倒伏し、飲料を連続的に注出する状態を示す縦断面図である。
【図６】操作レバーを他方側に倒しながら飲料を注出する状態を示す縦断面図である。
【図７】本発明の飲料注出コックの要部分解状態を示す縦断面図である。
【符号の説明】
【００２０】
１  飲料容器
２  コック本体
３  注出口
４  弁機能部
５  操作レバー
６  開口部
７  キャップ
８  塞ぎ部
９  鉤状部
１０  操作部
１１  連結部
１２  側壁
１３  水平軸
１４  先端面
１５  側壁の前側の縁部
１６  拘束当接部
１７  非拘束当接部
１８  角部
１９  注出管
２０  取付ネジ
２１  流路
２２  継口
２３  収容部
２４ａ  雄ネジ、２４ｂ  雌ネジ
２５  ガイド部
２６  弁体
２７  栓体
２８  弁先部
２９  弁先受部
３０  鍔部
３１  コイルバネ
３２  鍔縁部
３３  テーパー面
Ｃ  コップ
Ｘ１  拘束当接部と水平軸との距離
Ｘ２  非拘束当接部と水平軸との距離
Ｙ  先端面と水平軸との距離
【図１】
2007314220.tif 000003
【図２】
2007314220.tif 000004
【図３】
2007314220.tif 000005
【図４】
2007314220.tif 000006
【図５】
2007314220.tif 000007
【図６】
2007314220.tif 000008
【図７】
2007314220.tif 000009